(57)【特許請求の範囲】
【請求項１】
電子機器を制御するためのシステムであって、
乗り物内の人による占有を検出するように構成されたセンサと、
前記センサに応答して特定の周波数及び電力を有する信号を提供する感知電極と、を備え、
前記感知電極は、前記信号を前記センサによって検出された前記人に送信するように構成されており、
前記信号は、前記乗り物の動作状態に基づいて前記電子機器の特定の応答に備える情報で符号化されており、
前記電子機器は、前記信号を受信したときに前記乗り物が移動している場合、前記電子機器の機能を制御する第１の応答を発生し、前記乗り物のインストルメントパネルの表示を変更するための信号を送信する第２の応答を発生するように構成されている、
ことを特徴とするシステム。
【請求項２】
前記信号の前記周波数は、前記信号が前記人を介して再分配されることを可能にするように設定されており、前記信号は、前記人を取り囲む空気に伝送されるのに十分なほど強くはない、請求項１に記載のシステム。
【請求項３】
前記感知電極は、乗り物の座席、ステアリングホイール、及びシートベルトのうちの１つの内部に配置されている、請求項２に記載のシステム。
【請求項４】
前記電子機器は携帯電話である、請求項１に記載のシステム。
【請求項５】
前記乗り物が非移動状態及び緊急状態のうちの１つにあるときに、前記感知電極は符号化された前記信号を送信しない、請求項４に記載のシステム。
【請求項６】
前記乗り物が緊急状態にあるときに、前記感知電極は、前記電子機器の自動化応答を生成するのに使用される符号化情報を有する信号を送信する、請求項４に記載のシステム。
【請求項７】
電界結合を用いて電子機器を制御するための方法であって、
乗り物内の人による占有を検出するステップと、
前記人を導管として用いて感知電極から前記電子機器に電子信号を送信するステップと、を含み、
前記電子信号は、前記人を取り囲む空気に伝送されるのに十分なほど強くはなく、
前記電子信号は、前記乗り物の動作状態に基づいて前記電子機器の特定の応答に備える情報で符号化されており、
前記電子機器は、前記信号を受信したときに前記乗り物が移動している場合、前記電子機器の機能を制御する第１の応答を発生し、前記乗り物のインストルメントパネルの表示を変更するための信号を送信する第２の応答を発生する、
ことを特徴とする方法。
【請求項８】
前記感知電極は、乗り物の座席、ステアリングホイール、及びシートベルトのうちの１つの内部に配置される、請求項７に記載の方法。
【請求項９】
前記人は乗り物を運転している、請求項８に記載の方法。
【請求項１０】
前記感知電極は、緊急事態を含むある一定の状況では前記電子機器に前記電子信号を送信しない、請求項９に記載の方法。
【請求項１１】
電界結合を用いて電子機器を制御するための方法であって、
乗り物内の人による占有を検出するステップと、
電界結合により感知電極から人へ電子信号を送信するステップと、を含み、
前記電子信号は、前記人を取り囲む空気に伝送されるのに十分なほど強くはなく、前記乗り物の動作状態に基づいて前記電子機器の特定の応答に備える情報で符号化されており、
前記電子機器は、前記人に結合されているときに前記人に送信された前記電子信号を検出するように構成されており、前記信号を検出したときに前記乗り物が移動している場合、前記電子機器の機能を制御する第１の応答を発生し、前記乗り物のインストルメントパネルの表示を変更するための信号を送信する第２の応答を発生する、
ことを特徴とする方法。
【請求項１２】
前記感知電極は、乗り物の座席、ステアリングホイール、及びシートベルトのうちの１つの内部に配置される、請求項１１に記載の方法。
【請求項１３】
電界結合を用いて電子機器を制御するためのシステムであって、
乗り物内の人を介して再分配されることを可能にするように設定された特定の周波数を有する信号を提供する電極と、
前記電極から流れる電流の量を測定するように構成されたセンサと、を備え、
前記信号は、前記人を取り囲む空気に伝送されるのに十分なほど強くはなく、
前記電子機器は、前記人に結合されているときに前記人に送信された前記電子信号を検出するように構成されており、前記信号を検出したときに前記乗り物が移動している場合、前記電子機器の機能を制御する第１の応答を発生し、前記乗り物のインストルメントパネルの表示を変更するための信号を送信する第２の応答を発生するように構成されている、
ことを特徴とするシステム。
【請求項１４】
前記感知電極は、乗り物の座席、ステアリングホイール、及びシートベルトのうちの１つの内部に位置する、請求項１３に記載のシステム。
【請求項１５】
前記電子機器は携帯電話である、請求項１４に記載のシステム。
【請求項１６】
前記乗り物が非移動状態及び緊急状態のうちの１つにあるときに、前記電極は符号化された前記信号を送信しない、請求項１５に記載のシステム。
【請求項１７】
前記乗り物が緊急状態にあるときに、前記電極は、前記電子機器の自動化応答を生成するのに使用される符号化情報を有する信号を送信する、請求項１６に記載のシステム。
【発明の詳細な説明】
【関連特許出願の相互参照】
【０００１】
本出願は、２０１２年１月８日付けで出願された米国仮出願第６１／５８４，２７８号の優先権及び利益を主張するものであり、同出願はその全体が参照により本明細書に組み入れられる。
【技術分野】
【０００２】
本出願は、一般に、乗り物の乗員に関する情報に基づいて乗り物内の電子機器を制御するのに使用される方法及びシステムに関する。
【背景技術】
【０００３】
電子機器、特に移動通信機器（すなわち、携帯電話、ＰＤＡ、タブレットコンピュータ、ＭＰ３プレーヤ、ラップトップコンピュータ、電子書籍リーダ）の成長は、自動車の安全に著しい影響を及ぼしてきた。移動通信機器を使用して電話をかけ、テキストメッセージの閲覧、送信を行い、電子メールメッセージの閲覧、送信を行う運転者が重大な事故を引き起こす可能性は、薬物又はアルコールの影響下で運転する運転者とほぼ同程度である。さらに、新しい移動通信技術が導入は、その都度、「注意散漫な運転者」に関連した問題を助長する。
【０００４】
これらの問題に対応して、多くの自治体が、運転中の移動通信機器の操作を違法とするよう法律を強化している。しかし、これらの法律は、その性質上一般に対処的なものであるために、執行するのが難しい。したがって、運転中の移動通信機器の使用に慣れた運転者が、運転中の使用を禁止する法律を遵守する可能性はあまり高くないであろう。この問題は、１０代の若者、高齢者、未熟な運転者といったマルチタスク能力の最も低い運転者が、運転中に移動通信機器を使用する場合に最も深刻となる。
【０００５】
人が乗り物を運転している間に同時に移動通信機器を使用するのを妨げるために、移動通信機器を使用不可にする方法がいくつか導入されている。例えば、Ｌｉｐｏｖｓｋｉに対して発行された米国特許第７，８５６，２０３号明細書には、乗り物の運転者が、乗り物の移動中に携帯電話を使用してテキストメッセージを送受信するのを妨げるためのシステムが開示されている。Ｌｉｐｏｖｓｋｉ特許文献では、携帯電話を使用不可にするために満足されなければならない一連のステップが教示されている。これらのステップのうちの１つは、携帯電話が運転者のステアリングホイールの近くにあるかどうかである。そうした方法の不都合点の１つは、そうした方法が移動通信機器の位置に依拠するものであり、そのため、意図せずに、乗り物を運転していない人が使用する機器を使用不可にする結果になりうることである。この方法の別の不都合点は、乗り物の運転者は、ステアリングホイールからずっと離れた移動通信機器を使用する場合もあり、そのため、方法の条件が満たされず、運転者の機器は使用不可にならない。
【発明の概要】
【発明が解決しようとする課題】
【０００６】
したがって、乗り物の運転者によって使用される電子機器と同乗者によって使用される電子機器とを区別することができる方法及びシステムが求められている。さらに、乗り物内での運転者の電子機器の位置にかかわらず、乗り物の運転者によって使用される電子機器を使用不可にすることができる方法及びシステムも求められている。特に、乗り物の運転者によって使用される移動通信機器の選択機能を使用不可にするのに使用することができる方法及びシステムが求められている。
【課題を解決するための手段】
【０００７】
本明細書では、電子機器を制御するためのシステム及び方法が開示される。電子機器には、例えば、携帯電話、スマートフォン、ＰＤＡ、タブレットコンピュータ、ラップトップコンピュータ、電子書籍リーダ、及び携帯用ビデオゲームを含むことができる。
【０００８】
本開示の一目的は、人体を横切って再分配することができる周波数を有する時間変化する符号化信号を送信することが可能な低電力電界結合技術である。符号化信号は、時間変化する電位で駆動される電極から発せられてよい。電流は、電極から、特定の周波数の電荷を再分配することができるターゲットへ流れる。センサが電極から流れる電流の量を測定し、電流の量は、電極と、特定の周波数を有する電荷を再分配することができる任意のターゲットとの間の結合の量に依存する。結合の量は、ターゲットの界面面積と、電極と任意のターゲットとの間のギャップとに依存する。時間変化する信号は、様々な技法（すなわち、ＡＭ又はＦＭ）を用いて、情報で符号化することができる。
【０００９】
この目的によれば、人体は、信号の特定の周波数で電荷を容易に再分配することができ、人間と感知電極との間のギャップは、感知電極と人間との間の結合を可能にするのに十分なほどに小さい。符号化信号が低周波数、低電力であるために、容易に感知できるほどの信号が人間から空気中へ直接伝送されることはない。結合ターゲットと近接している電子機器は、符号化信号を検出するように構成することができる。電子機器が符号化信号を検出すると、信号中の符号化情報に応じて電子機器を制御することができ、信号中の情報は、乗り物の条件（すなわち、移動中、ギアが入っている、エアバッグの展開）に基づくものとすることができる。有利には、このシステムは、乗り物の乗員（運転者等）が所持している電子機器の使用を抑制する。機器は、幾通りのやり方で所持されていてもよく、例えば、手に持っていても、ポケットに入れていても、乗員が一般に使用する置き場／ホルダに置かれていてもよい。また、システムは１台の機器を抑制し、別の同乗者が手に持っている電子機器の使用は抑制しない。言い換えると、運転者が所持する電子機器の使用だけが抑制される。
【００１０】
本開示の別の目的は、電子機器を制御するための方法である。人の占有又は物理的存在が検出される。人の検出に基づき、符号化信号が人を介して送信される。信号は人に結合された電子機器によって検出され、信号への電子機器の応答が、電子機器のうちの１つ以上の機能を抑制することによって電子機器を抑制する。
【００１１】
電子機器を制御するためのシステム及び方法は、電子機器のハンズフリー操作を可能にすることができる。例えば、符号化信号は、電子機器がハンズフリー操作を可能にするように構成されている場合には電子機器が音声コマンドに応答することができるように、電子機器において応答を提供してよい。しかし、機器は、人が機器のボタンを押し、又は機器の画面にタッチしたときには応答しないように抑制されるはずである。
【００１２】
電子機器を制御するためのシステム及び方法は、符号化信号への自動化応答を可能にすることができる。例えば、乗り物が緊急状態にあるときに、感知電極は、電子機器の自動化応答を生成する（すなわち、緊急９１１通報を行う）のに使用される符号化信号を提供してよい。また、乗り物の通常動作時に、符号化信号に近接した電子機器が、信号に応答して「ブロック」モードを有効にしてもよい。「ブロック」モードが有効になった電子機器は、着信した通話、テキストメッセージ、又はデータ要求に自動応答することができる。
【００１３】
電子機器は、あるいは、感知電極からの符号化信号を検出した後で、信号を送信してもよい。感知電極は、電子機器からの信号を検出し、検出した信号を使用して乗り物の状態を変更することができる。例えば、電子機器によって送信された信号が、電話操作が使用不可になっているという計器パネル内のアイコンを表示するのに使用されてもよい。また信号は、電子機器のハンズフリー操作のための乗り物のブルートゥース又は他のハンズフリーシステムを開始するのに使用されてもよい。
【００１４】
ある検出システムは、前方座席内の同乗者の存在を検出することができ、電子機器を制御するのに使用されるはずの信号と類似した信号を発する場合があることに留意すべきである。電子機器を制御するのに使用される信号は、当該信号を類似した信号と区別するためのディジタル情報を含むことができる。これにより、電子機器が対象となる信号を検出したときに作動しなくなり、又は電源が切れることになる可能性が低くなるはずである。
【００１５】
好ましい実施形態では、符号化信号の周波数は約７０ＫＨｚである。しかし、人を介して伝送されるのに十分なほどの強さはあるが、その人を取り囲む空気中に容易に伝送されるほど強くはないどんな周波数でも適する。したがって、本開示は、電子機器を制御するのに使用される信号の周波数又は電力を制限し、又は定義するためのものではない。
【００１６】
別の実施形態では、感知電極は、シートベルトやステアリングホイールを介して等、運転者に近接した任意の場所に位置する。しかし、乗り物の座席については既存の技術を利用する。
【００１７】
電子機器を制御するシステム及び方法の代替の実施形態では、電子機器は低電力信号を発し、この信号は電界結合によって受信機へ送信される。電子機器から信号を受信し次第、受信機は、電子機器を使用不可にし、又は制御するために、機器に信号を送信することができる。受信機は、ブルートゥース、電界結合、Ｗｉ‐Ｆｉ、又は任意の他のタイプの電子通信を含む、様々な手段によって機器に信号を送信してよい。
【００１８】
本開示の別の実施形態では、様々な条件が、電子機器を制御するシステム及び方法を無効にすることができる。例えば、センサが緊急状態（すなわち、乗り物の転覆又は衝突）を検出した場合には、感知電極は電子機器を制御するための符号化信号を送信しなくてもよく、あるいは、電極は、電子機器がある特定の機能を実行することができるようにする符号化信号を送信してもよい。さらに、本開示の様々な実施形態では、通常はシステムによって抑制されるはずの電子機器のいくつかの機能に例外があってもよいはずである。例えば、システムは、通常は、乗り物を運転中の人が手に持っている携帯電話が、テキストメッセージを送信するのを妨げることができる。しかし、緊急メッセージについては例外を設けてよい。
【００１９】
電子機器を制御するシステム又は方法は、電界結合によって送信される信号を受信し、また、機器の様々な機能が抑制されるように信号に応答することになる機器を設計する製造者に依存しうることに留意すべきである。例えば、乗り物を運転中の人が携帯電話を使用してテキストメッセージを送信するのを実質的に抑止し、それによって運転者が事故を起こす危険を低減させるために、携帯電話の様々な製造者らは、あらゆる携帯電話を電界結合によって制御することができるようにコンソーシアムを形成してもよい。現在の電子機器、例えば携帯電話等は、低レベルのソフトウェア変更により、又は既存の電子回路、アンテナ、及び送受信機回路へのわずかなハードウェア変更により、電界結合を介して配信される信号を検出することができる。また、規制機関も、電子機器を電界結合によって制御することができるように、自動車技術又は携帯電話技術の規格を策定することができる。
【００２０】
以上の全般的記述も以下の詳細な記述も例示と説明のためのものにすぎず、特許請求される発明を限定するものではないことを理解すべきである。
【００２１】
本発明の上記その他の特徴、態様、及び利点は、以下の記述、添付の特許請求の範囲、及び添付の図面に示す例示的実施形態を読めば明らかになるであろう。以下で図面を簡単に説明する。
【図面の簡単な説明】
【００２２】
【図１】本開示の実施形態による電子機器を制御するのに使用されるシステムの斜視図である。
【００２３】
【図２】本開示の実施形態による電子機器を制御するのに使用される方法の概略図である。
【発明を実施するための形態】
【００２４】
本発明の実施形態を以下で図面を参照して説明する。
【００２５】
電子機器を制御するいくつかのシステム及び方法を提案する。電子機器３０を制御するのに使用されるシステム７０についての一実施形態によれば、センサ（不図示）は人の占有を検出することができ、感知電極１０は、センサの検出に応答して時間変化する符号化信号２０を提供する。人の占有を検出するのに使用されるセンサは、近接センサ、光センサ、圧力センサ、容量又は電界センサ、タッチセンサ、及び物体の物理的存在を確定しうる任意の他のセンサといった、任意のタイプのセンサとすることができる。符号化信号２０は特定の周波数及び電力を有し、符号化信号２０を類似した信号と区別するための、ディジタル情報といった情報を含んでいてよい。符号化信号２０は、時間変化する電位で駆動される感知電極１０から発せられる。電流は、感知電極１０から、符号化信号２０の周波数の電荷を再分配することができるターゲットへ流れる。本明細書に記載するシステムと共に用いることができるはずの例示的乗員感知システムが、米国特許第６，３９２，５４２号及び第７，１８０，３０６号（どちらもその全体が参照により本明細書に組み入れられる）に開示されている。これらの特許に開示されているシステムは、乗り物の座席の乗員に近接して位置決めされた感知電極を含む。
【００２６】
符号化信号２０の周波数は、人体が信号の電荷を容易に再分配することができるように設定されている。感知電極１０は、容量結合又は電界結合によって人を介して符号化信号２０を送信するように構成されている。感知電極１０と人との間の電界結合の量は、人の界面面積と、電極１０と人とのギャップ距離とに依存する。信号２０の周波数及び電力は、人を介して伝送されるのに十分なほどには強いが、その人を取り囲む空気中に容易に伝送されるほど強くはない。人が触れている、又は人に近接した（すなわち、人の衣服のポケット、又は人のひざの上にある）電子機器３０は、（例えば、容量性、誘導性の）電界結合によって信号２０を検出することができる。電子機器３０には、携帯電話、ＰＤＡ、スマートフォン、ＭＰ３プレーヤ、タブレットコンピュータ、ラップトップコンピュータ、コンピュータディスプレイ、タッチスクリーンディスプレイ、ビデオ・ゲーム・システムといった、手持ち式、携帯型、又は対話式の任意のタイプの機器を含むことができる。電子機器３０が信号２０を検出すると、電子機器３０の信号２０への応答が、電子機器３０の機能を抑制することになる。
【００２７】
図１に示すように、システム７０が電子機器３０を制御するための感知電極１０は、乗り物５０の運転席４０に位置していてよい。乗り物には、乗用車、商用車、バス、自動二輪、列車、ボート、飛行機、建設機械、又は人によって運転され、又は操作される任意の他のタイプの乗り物を含むことができる。センサは、運転席４０に座っている人の占有を検出する。制御電子回路（不図示）は、乗り物の速度情報を獲得し、この情報を感知電極１０に提供することができる。乗り物の速度情報が、乗り物が移動していることを示す場合、感知電極１０は、符号化信号２０を、信号２０の周波数で電荷を再分配することができるターゲットに送信してよい。符号化信号２０は、人体が信号の電荷を容易に再分配することができるように設定されている。したがって、運転席に位置する感知電極１０が符号化信号２０を送信すると、運転席に座っている人は信号２０の電荷を再分配する。運転者が触れている、又は運転者に近接して（例えば、衣服のポケット、人のひざの上、近くの置き場又はホルダ等に）位置する電子機器３０、例えば、運転者が手に持っている携帯電話は、運転者を介して送信された信号２０を検出する。信号２０への電子機器３０の応答は、電子機器３０の機能の抑制である。例えば、電子機器３０は信号２０に応答して、ユーザがテキストメッセージ又はデータメッセージを送受信することを可能にする機能を使用不可にしてもよい。
【００２８】
別の実施形態によれば、電子機器３０は、あるいは、感知電極１０からの符号化信号２０の検出後に信号を送信してもよい。感知電極１０は、電子機器３０からの信号を検出し、検出した信号を使用して乗り物の状態を変更することができる。例えば、電子機器３０によって送信された信号が、電話操作が使用不可になっていることを指示する乗り物５０の計器パネル内のアイコンを表示するのに使用されてもよい。また信号は、電子機器のハンズフリー操作のための乗り物のブルートゥース又は他のハンズフリーシステムを開始するのに使用されてもよい。
【００２９】
別の実施形態によれば、信号２０は、電子機器のある特定のメーカ、モデル、及びタイプに属する機能を抑制するように符号化することができる。また、ある特定のタイプの機器が信号２０に応答するように構成されなくてもよい。例えば、信号２０は、携帯電話用のブルートゥースヘッドセットといった、「ハンズフリー」機器を制御するように設定されなくてもよいはずである。また、信号２０の検出に応答して携帯電話をハンズフリー機器と協調して動作させてもよい。
【００３０】
電子機器を制御するのにシステム又は方法がどのように使用されるかについての例外があってもよい。特殊な状況（すなわち、乗り物の事故又は転覆）が、感知電極１０による信号２０の送信を無効にし、又は妨げてもよい。また、信号２０に対する電子機器の応答についての例外があってもよい。例えば、信号２０は、通常は、携帯電話が電話をかけることを可能にする機能を使用不可にするように符号化することができる。しかし、緊急又は９１１通話について例外が設けられてもよい。
【００３１】
電子機器を制御するシステムについての別の実施形態は、占有されていない座席、又は、アームレスト、カップホルダ、ダッシュボード、センターコンソールといった他の露出面に位置する感知パッドを含むことができる。感知パッドは、電子機器によって受信される信号を送信することができ、信号への機器の応答は、機器の機能の抑制である。応答の中には、ある特定の機能を使用不可にすること、又はハンズフリー技術を有効にすることが含まれうる。
【００３２】
本開示の別の実施形態によれば、図２に示すように、電子機器を制御する方法が提供される。そうした方法は、規定の空間が人によって占有されているかどうか検出することができる。占有されている場合、電界結合により人を介して信号を送信することができる。信号は人に結合された電子機器によって検出され、信号への機器の応答が、機器の機能を抑制することになる。
【００３３】
図面には、各要素の具体的な形状及び位置が記載されているが、各要素は、当該要素によって実行されるべき機能を円滑に行わせる任意の他の形状又は位置のものであってよい。例えば、カメラ及び光源は、特定の乗り物の位置に示されているが、他の例示的実施形態では、感知要素は、乗り物内のどこに位置していてもよい。
【００３４】
本開示では、「結合された」という用語は、（電気的、機械的、又は磁気的な）２つの構成要素相互間の直接的、又は間接的な結びつきを意味する。そうした結びつきは、固定的な性格のものであっても、可動的な性格のものでもよい。そうした結びつきは、（電気的又は機械的な）２つの構成要素、及び相互に、もしくは２つの構成要素と単一の一体部分として一体的に定義されている任意の追加的な中間部材を用いて、又は相互に接続されている２つの構成要素と任意の追加的な部材を用いて実現することができる。そうした結びつきは、永続的な性格のものであってよく、あるいは、取り外し可能な、もしくは解除可能な性格のものであってもよい。
【００３５】
本開示は、例示的実施形態を参照して記載されているが、当業者は、開示の主題の趣旨及び範囲を逸脱することなく形状及び詳細に変更が加えられうることを理解するであろう。例えば、様々な例示的実施形態は、１もしくは複数の利益を提供する１もしくは複数の特徴を含むものとして記載されているが、記載の特徴は、記載の例示的実施形態において、又は他の代替の実施形態において、相互に交換され、あるいは相互に組み合わされうることが企図されている。本開示の技術は比較的複雑であるため、必ずしもすべての技術的変更が予見できるとは限らない。例示的実施形態を参照して記載された本開示は、明らかに、可能な限り広い適用範囲を有することが意図されている。例えば、特に別段の記載がない限り、単一の特定の要素を記載する例示的実施形態は、複数のそうした特定の要素も包含するものである。
【００３６】
例示的実施形態は、機械実行可能命令又はデータ構造を搬送し、又は記憶するためのコンピュータ又は機械可読媒体を含むプログラム製品を含んでいてよい。例えば、感知電極はコンピュータ駆動されてよい。図の方法で例示されている例示的実施形態は、機械実行可能命令又はデータ構造を搬送し、又は記憶するためのコンピュータ又は機械可読媒体を含むプログラム製品によって制御されてよい。そうしたコンピュータ又は機械可読媒体は、汎用又は専用のコンピュータ又はプロセッサを備える他の機械によってアクセスすることができる任意の利用可能な媒体とすることができる。例えば、そうしたコンピュータ又は機械可読媒体としては、ＲＡＭ、ＲＯＭ、ＥＰＲＯＭ、ＥＥＰＲＯＭ、ＣＤ‐ＲＯＭもしくは他の光ディスク記憶、磁気ディスク記憶もしくは他の磁気記憶装置、又は、機械実行可能命令もしくはデータ構造の形の所望のプログラムコードを搬送し、もしくは記憶するのに使用することができ、汎用もしくは専用のコンピュータもしくはプロセッサを備える他の機械によってアクセスすることができる任意の他の媒体を含むことができる。上記の組み合わせもコンピュータ又は機械可読媒体の範囲内に含まれる。コンピュータ又は機械実行可能命令は、例えば、汎用コンピュータ、専用コンピュータ、又は専用処理機に、ある特定の機能又は機能グループを実行させる命令及びデータを含む。本開示のソフトウェア実装形態は、様々な接続ステップ、処理ステップ、比較ステップ、及び判断ステップを実現するルールベース論理及び他の論理を用いた標準的なプログラミング技法で達成することもできるはずである。
【００３７】
また、好ましい例示的実施形態及び他の例示的実施形態に示したシステムの各要素の構成及び配置は例示にすぎないことに留意することも重要である。本開示には特定の数の実施形態だけが詳細に記載されているが、当業者は、本開示を吟味すれば、記載される主題の新規の教示及び利点を実質的に逸脱することなく、多くの改変（例えば、様々な要素の様々なサイズ、寸法、構造、形状及び比率、パラメータの値、取り付け方法、材料の使用、色、向き等）が可能であることを容易に理解するであろう。例えば、一体的に形成されたものとして示された要素が複数の部分又は要素から構築されてもよく、複数の部分として示された要素が一体的に形成されてもよく、組み立ての操作が逆転され、又はそれ以外に変更されてもよく、システムの構造及び／又は部材又はコネクタ又は他の要素の長さ又は幅が変更されてもよく、要素間に設けられる調整位置又は取り付け位置の性格又は数が変更されてもよい。システムの要素及び／又は組み立て品は、十分な強度又は耐久性を提供する多種多様な材料のいずれかから構築することができることに留意すべきである。したがって、あらゆるそうした改変は、本開示の範囲内に含まれるべきことが意図されている。任意の工程ステップ又は方法ステップの順序又は順番が、代替の実施形態に従って変更され、又は並べ替えられてもよい。開示の主題の趣旨を逸脱することなく、好ましい例示的実施形態及び他の例示的実施形態の設計、動作条件、及び配置において他の置換、改変、変更、及び省略がなされてもよい。
【図１】
0006356609.tif 000002
【図２】
0006356609.tif 000003